(57)【要約】【課題】利用者の利便性を向上したプリンタを提供する。【解決手段】電話ボックスを利用した通信機器提供ボックス１に配置される電話ボックス用薄型プリンタユニット１４であって、通信機器は、電話１２、ファクシミリ、コンピュータ１３、液晶ディスプレイ、スキャナ１５、接続用コネクタ、クレジットカード決済装置のすべて、あるいはいずれかをさらに有し、プリンタユニット１４は、通信機器提供ボックス１の天井部に配置されていることを特徴とする。本発明の電話ボックス用薄型プリンタユニット１４によれば、利用者の利便性の向上や幅広いユーザへの対応が可能なプリンタユニットの設置が実現できる。【選択図】　図１
2004090288.tif 000002
【特許請求の範囲】
【請求項１】
電話ボックスを利用した通信機器提供ボックスに配置される電話ボックス用薄型プリンタであって、
前記通信機器は、電話、ファクシミリ、コンピュータ、液晶ディスプレイ、スキャナ、接続用コネクタ、クレジットカード決済装置のすべて、あるいはいずれかをさらに有し、
前記プリンタは、前記電話ボックスの天井部に配置されていることを特徴とする電話ボックス用薄型プリンタ。
【請求項２】
前記プリンタは、前記電話ボックスの天井部から吊り下げられたプリンタユニットであって、使用時には所定位置まで降下して利用されることを特徴とする請求項１に記載の電話ボックス用薄型プリンタ。
【請求項３】
前記プリンタは、本体とプリンタ用紙格納部から構成され、前記プリンタ本体は、前記通信機器と一体として配置され、前記プリンタ用紙格納部が前記電話ボックスの天井部に配置されていることを特徴とする請求項１に記載の電話ボックス用薄型プリンタ。
【請求項４】
前記プリンタは、本体と複数のプリンタ用紙カセットから構成され、当該複数のプリンタ用紙カセットは、縦方向に直列に配置されることを特徴とする請求項１に記載の電話ボックス用薄型プリンタ。
【請求項５】
前記プリンタは、本体と複数のプリンタ用紙カセットから構成され、当該複数のプリンタ用紙カセットは、斜め方向に互いに重なって配置されることを特徴とする請求項１に記載の電話ボックス用薄型プリンタ。
【請求項６】
前記プリンタは、液状用紙貯蔵部および用紙作成部をさらに有し、前記液状用紙貯蔵部に充填された原料を前記用紙作成部で加工してプリンタ用紙を製造することを特徴とする請求項１に記載の電話ボックス用薄型プリンタ。
【請求項７】
前記プリンタは、本体とプリンタ用紙カセットから構成され、当該プリンタ用紙カセットには、ロール状に格納されたロール紙が、垂直方向に複数段格納されてなることを特徴とする請求項４に記載の電話ボックス用薄型プリンタ。
【請求項８】
電話ボックスを利用した通信機器提供ボックスに配置される電話ボックス用薄型プリンタユニットであって、
前記通信機器は、電話、ファクシミリ、コンピュータ、液晶ディスプレイ、スキャナ、接続用コネクタ、クレジットカード決済装置のすべて、あるいはいずれかをさらに有し、
前記プリンタユニットは、前記コンピュータおよび前記液晶ディスプレイからなるＰＣユニットの下部に格納されていることを特徴とする電話ボックス用薄型プリンタユニット。
【請求項９】
前記プリンタユニットは、前記ＰＣユニットの支柱としても機能することを特徴とする請求項８に記載の電話ボックス用薄型プリンタユニット。
【請求項１０】
前記支柱は、多方向に傾斜することができるフレキシブル支柱であることを特徴とする請求項９に記載の電話ボックス用薄型プリンタユニット。
【請求項１１】
前記プリンタユニットは、液状用紙貯蔵部および用紙作成部をさらに有し、前記液状用紙貯蔵部に充填された原料を前記用紙作成部で加工してプリンタ用紙を製造することを特徴とする請求項８に記載の電話ボックス用薄型プリンタユニット。
【請求項１２】
電話ボックスを利用した通信機器提供ボックスに配置される電話ボックス用薄型プリンタユニットであって、
前記通信機器は、電話、ファクシミリ、コンピュータ、液晶ディスプレイ、スキャナ、接続用コネクタ、クレジットカード決済装置のすべて、あるいはいずれかをさらに有し、
前記プリンタユニットは、前記コンピュータおよび前記液晶ディスプレイからなるＰＣユニットの下部に格納され、かつ前記電話ボックスのコーナー部に配置されており、プリンタ用紙としてロール紙を用いていることを特徴とする電話ボックス用薄型プリンタユニット。
【請求項１３】
前記ロール紙は、垂直方向に複数段配列されてなり、前記プリンタユニットがさらに有する自動カッター部によって、切断されて利用されることを特徴とする請求項１２に記載の電話ボックス用薄型プリンタユニット。
【請求項１４】
前記ロール紙は、前記プリンタユニットの上方向から充填されることを特徴とする請求項１２に記載の電話ボックス用薄型プリンタユニット。
【請求項１５】
前記ロール紙は、前記プリンタユニットの横方向から充填されることを特徴とする請求項１２に記載の電話ボックス用薄型プリンタユニット。
【発明の詳細な説明】
【０００１】
【発明の属する技術分野】
本発明はプリンタおよびプリンタユニットに関し、詳しくは電話ボックスに設置が可能な薄型プリンタおよび薄型プリンタユニットに関する。
【０００２】
【従来の技術】
公衆電話は日本全国に約８０万台が設置されており、そのうち公衆電話ボックスの数は、約１３万台にのぼる。わが国の国土面積に比較して、非常に多くの公衆電話が、日本には設置されているといえる。一方で、公衆コピー機や公衆ファクシミリ機は利用ニーズがあったが、電話ボックスに設置するとスペースの確保が難しくなるため設置が困難であった。そのため、コピー機やファクシミリ機は、コンビニエンスストアなどに設置されるようになった。
【０００３】
また、パーソナルコンピュータやプリンタなども、上述の理由からインターネットカフェなどに設置されるようになった。そして、これらのコピー機、ファクシミリ機、パーソナルコンピュータやプリンタなどは、消費される用紙やインクカートリッジなどの補充やメンテナンスが必要であることから、無人のブース内での設置は困難と考えられてきた。
【０００４】
【発明が解決しようとする課題】
しかしながら、近年に携帯電話の急激な普及により、すでに設置されている電話ボックスの使用頻度が後退してきた。そのため、既存の公衆電話という機能に高付加価値を加え、さまざまな通信機能を備えた高機能電話ボックスが提案されたが、既存の電話ボックスの限られたスペースの中で実現するには、実情に耐えうる性能や給紙方法を実現するプリンタの配置が困難であったため、実現されるに至っていなかった。
【０００５】
本発明は、上記実状に鑑みてなされたものであり、利用者の利便性を向上することを目的とする。
【０００６】
【課題を解決するための手段】
上記目的を達成するため、本発明の第１の観点にかかる電話ボックス用薄型プリンタは、電話ボックスを利用した通信機器提供ボックスに配置される電話ボックス用薄型プリンタであって、通信機器は、電話、ファクシミリ、コンピュータ、液晶ディスプレイ、スキャナ、接続用コネクタ、クレジットカード決済装置のすべて、あるいはいずれかをさらに有し、プリンタは、電話ボックスの天井部に配置されていることを特徴とする。
【０００７】
また、前記プリンタは、前記電話ボックスの天井部から吊り下げられたプリンタユニットであって、使用時には所定位置まで降下して利用されるようにしてもよい。
【０００８】
また、前記プリンタは、本体とプリンタ用紙格納部から構成され、前記プリンタ本体は、前記通信機器と一体として配置され、前記プリンタ用紙格納部が前記電話ボックスの天井部に配置されてもよい。
【０００９】
また、前記プリンタは、本体と複数のプリンタ用紙カセットから構成され、当該複数のプリンタ用紙カセットは、縦方向に直列に配置されてもよい。
【００１０】
また、前記プリンタは、本体と複数のプリンタ用紙カセットから構成され、当該複数のプリンタ用紙カセットは、斜め方向に互いに重なって配置されてもよい。
【００１１】
また、前記プリンタは、液状用紙貯蔵部および用紙作成部をさらに有し、前記液状用紙貯蔵部に充填された原料を前記用紙作成部で加工してプリンタ用紙を製造してもよい。
【００１２】
また、前記プリンタは、本体とプリンタ用紙カセットから構成され、当該プリンタ用紙カセットには、ロール状に格納されたロール紙が、垂直方向に複数段格納されてもよい。
【００１３】
本発明の第２の観点にかかる電話ボックス用薄型プリンタユニットは、電話ボックスを利用した通信機器提供ボックスに配置される電話ボックス用薄型プリンタユニットであって、通信機器は、電話、ファクシミリ、コンピュータ、液晶ディスプレイ、スキャナ、接続用コネクタ、クレジットカード決済装置のすべて、あるいはいずれかをさらに有し、プリンタユニットは、コンピュータおよび液晶ディスプレイからなるＰＣユニットの下部に格納されていることを特徴とする。
【００１４】
また、前記プリンタユニットは、前記ＰＣユニットの支柱としても機能してもよい。
【００１５】
また、前記支柱は、多方向に傾斜することができるフレキシブル支柱であってもよい。
【００１６】
また、前記プリンタユニットは、液状用紙貯蔵部および用紙作成部をさらに有し、前記液状用紙貯蔵部に充填された原料を前記用紙作成部で加工してプリンタ用紙を製造してもよい。
【００１７】
本発明の第３の観点にかかる電話ボックス用薄型プリンタユニットは、電話ボックスを利用した通信機器提供ボックスに配置される電話ボックス用薄型プリンタユニットであって、通信機器は、電話、ファクシミリ、コンピュータ、液晶ディスプレイ、スキャナ、接続用コネクタ、クレジットカード決済装置のすべて、あるいはいずれかをさらに有し、プリンタユニットは、コンピュータおよび液晶ディスプレイからなるＰＣユニットの下部に格納され、かつ電話ボックスのコーナー部に配置されており、プリンタ用紙としてロール紙を用いていることを特徴とする。
【００１８】
また、前記ロール紙は、垂直方向に複数段配列されてなり、前記プリンタユニットがさらに有する自動カッター部によって、切断されて利用されてもよい。
【００１９】
また、前記ロール紙は、前記プリンタユニットの上方向から充填されてもよい。
【００２０】
前記ロール紙は、前記プリンタユニットの横方向から充填されてもよい。
【００２１】
【発明の実施の形態】
図１は、本発明の実施の形態に係る通信機器提供ボックス１の外観構成を示す図である。本システムは、この通信機器提供ボックス１が有する多機能の通信機器を利用者に提供することによって、利用者の利便性や幅広いユーザへの対応が可能となる。そして、既存の電話ボックスにこれらの通信機器を合理的に格納するために、本実施形態の通信機器提供ボックス１は、様々な工夫がなされている。通信機器提供ボックス１は、特に制限されないが、ソーラパネル１０、通信機器提供ボックス燃料格納部１１、電話機ユニット１２、パソコンユニット１３、プリンタユニット１４、スキャナユニット１５およびユニットフレーム１６からなる。
【００２２】
ソーラパネル１０は、太陽光によって電力を発電するための設備であり、本実施例ではアモルファスシリコンを敷き詰めたパネルから構成されている。なお、本実施形態では、通信機器提供ボックス１の屋根部にパネルとして設けられているが、ソーラシートとして、通信機器提供ボックス１の周囲の壁に貼付しても良い。ソーラパネル１０で発電された電力は、次の通信機器提供ボックス燃料格納部１１によって蓄電される。
【００２３】
通信機器提供ボックス燃料格納部１１は、図示しない太陽電池部と燃料電池部の二つの電池部から構成されている。太陽電池部はソーラパネル１０などによって発電した電力を蓄えておき、通信機器提供ボックス１が自らの稼働に際して必要な電力を消費するとともに、あまった電力は利用者に供給するように構成されている。そして、利用者は自らの携帯電話やノートパソコンなどの携帯用情報端末のバッテリ用に、その電力を購入することができる。
【００２４】
一方で、通信機器提供ボックス１は、自動車用の燃料提供スタンドとしても機能する。具体的には、通信機器提供ボックス燃料格納部１１は、自動車用に提供できる電力や水素燃料も格納している。そして、電気自動車用の電力提供ソケットや燃料電池自動車用に水素提供ノズルを介して、燃料供給スタンドとして稼働する。
【００２５】
電話機ユニット１２は、電話機を通信機器提供ボックス１に格納するためのユニットである。この電話機ユニット１２に、電話機が備え付けられている。パソコンユニット１３は、パソコンなどを通信機器提供ボックス１に格納するためのユニットである。このパソコンユニット１３には、液晶ディスプレイ、スピーカ、キーボードおよびパソコン本体などが備え付けられている。
【００２６】
プリンタユニット１４は、プリンタを通信機器提供ボックス１に格納するためのユニットである。このプリンタユニット１４に、プリンタ本体が備え付けられている他に、プリンタヘッド、インクタンク、トナータンクまたはプリンタ用紙カセットが備え付けられている。
【００２７】
スキャナユニット１５は、スキャナを通信機器提供ボックス１に格納するためのユニットである。このスキャナユニット１５に、スキャナが備え付けられている。
【００２８】
ユニットフレーム１６は、上述の通信機器提供ボックス燃料格納部１１、電話機ユニット１２、パソコンユニット１３、プリンタユニット１４およびスキャナユニット１５を機能的に配置させるために用いられたフレームユニットである。
【００２９】
なお、本実施形態に係わる通信機器提供ボックス１を、既存の電話ボックスの限られたスペースの中で実現するには、プリンタユニット１４を始めパソコンユニット１３の効果的な配置が必要とされる。本発明は、すでにあるインフラの有効活用を図り、利用者の利便性を向上することを目的としており、以下にさまざまなプリンタユニットの実現手段について図を挙げて説明する。
【００３０】
図２は、本発明の第１の実施の形態に係る電話ボックス用薄型プリンタユニットの構成を示す図である。本実施形態の通信機器提供ボックス１は、パソコンユニット１３、液晶ディスプレイ１７、プリンタ排紙部１８、カード挿入部１９、プリンタ用紙カセット２０、プリンタ本体２１から構成されている。
【００３１】
本実施形態では、電話ボックスの省スペース化のために、パソコンユニット１３、液晶ディスプレイ１７は、プリンタ排紙部１８、プリンタ用紙カセット２０およびプリンタ本体２１は、一体的に形成されている。プリンタユニットは、パソコンユニット１３の下部にコンパクトに形成されていて、省スペース化を図っている。
【００３２】
さらに、本実施の形態の電話ボックス用薄型プリンタユニットは、床面まで幅方向に広げて構成されていて、奥行きの薄型化が実現されている。このようにすることによって、高給紙能力のプリンタユニットが、既存の電話ボックスの限られたスペースの中で実現することができる。
【００３３】
パソコンユニット１３は、スピーカ、キーボードおよびパソコン本体などが備え付けられている。液晶ディスプレイ１７は、大画面の液晶表示装置であり室外でも光の反射が抑えられて表示が見やすい液晶材料が用いられている。
【００３４】
プリンタ排紙部１８は、通信機器提供ボックス１を利用する者がプリンタ使用時に手前に引くと、プリンタ排紙口が現れる。そして、通信機器提供ボックス１の利用者は、自らでパソコンユニット１３を操作して、印刷した書類や画像を受け取る。
【００３５】
プリンタ用紙カセット２０は、カセットごと交換されるように構成されている。このカセットの交換は、メンテナンスを請け負った会社が定期的に通信機器提供ボックス１を見回っており、プリンタ用紙が少なくなってきた場合に、カセットごと交換するようにされている。
【００３６】
プリンタ本体２１は、インクカートリッジやプリンタヘッドなどから構成されており、プリンタ用紙カセット２０をはめ込んでプリンタ用紙が補給される仕組みとなっている。
【００３７】
そして、通信機器提供ボックス１の利用者は、カード挿入部１９に自らのクレジットカード、デビットカードなどを挿入して、通信機器提供ボックス１の利用料金の支払いを行う。
【００３８】
図３は、本発明の第２の実施の形態に係る電話ボックス用薄型プリンタユニットの構成を示す図である。本実施形態の通信機器提供ボックス１は、パソコンユニット１３、液晶ディスプレイ１７、プリンタ排紙部１８、プリンタ本体２１、のぞき見防止ユニット３０および支柱３１から構成されている。なお、第１の実施形態と重複する部分については、説明を省略する。
【００３９】
のぞき見防止ユニット３０は、公衆電話での使用を考慮して、通行人などが、通信機器提供ボックス１の利用者が液晶ディスプレイ１７に表示している情報を、のぞき見できないように配慮したものである。のぞき見防止ユニット３０は、観音開き状のプレートから構成されているが、必要に応じて取り外しができるように形成されている。
【００４０】
そして、電話ボックスの省スペース化のために、パソコンユニット１３、液晶ディスプレイ１７は、一体的かつ平面的に形成されている。さらに、プリンタ排紙部１８、プリンタ本体２１も、パソコンユニット１３、液晶ディスプレイ１７とは、別の構造として一体的かつ平面的に形成されている。
【００４１】
本実施の形態の電話ボックス用薄型プリンタユニットは、図２の場合と比べて、プリンタユニットをパソコンユニットの支柱３１とは別個独立の構成としている。平面的に床面まで形成することによって、プリンタ用紙、トナーなどの容量を増加させることが可能となり、プリンタの処理能力の向上を図れるからである。
【００４２】
図４は、本発明の第３の実施の形態に係る電話ボックス用薄型プリンタユニットの構成を示す図である。本実施形態の通信機器提供ボックス１では、液晶ディスプレイ１７、プリンタ排紙部１８、プリンタ本体２１、支柱４０および支柱４１から構成されている。なお、他の実施形態と重複する部分については、説明を省略する。
【００４３】
本実施形態では、電話ボックスの省スペース化のために、パソコンユニット１３、液晶ディスプレイ１７は、支柱４０によって支えられており、プリンタ排紙部１８およびプリンタ本体２１は、支柱４１によって支えられている。支柱４０および支柱４１は、フレキシブルな支柱であって、利用者の身長や姿勢に応じて、さまざまな角度や高さに修正することができる。
【００４４】
図５は、本発明の第４の実施の形態に係る電話ボックス用薄型プリンタユニットの構成を示す図である。本実施形態の通信機器提供ボックス１は、パソコンユニット１３、液晶ディスプレイ１７、プリンタ排紙部１８、カード挿入部１９、プリンタ本体２１、オプションユニット５０、大容量メモリユニット５１および高機能コンピュータユニット５２から構成されている。なお、他の実施形態と重複する部分については、説明を省略する。
【００４５】
そして、電話ボックスの省スペース化のために、本実施の形態の電話ボックス用薄型プリンタユニットは、電話ボックスのコーナー部に三面鏡状に平板的に設けられている。液晶ディスプレイ１７は、利用者の身長や姿勢に合わせて上下にスライドすることができる。
【００４６】
オプションユニット５０は、通信機器提供ボックス１の提供者が選んださまざまな機能ユニットを配置できる。たとえば、サーバユニット、個人暗証用ユニット、音楽配信ユニット、飲料水販売ユニット、プリペイドカード販売ユニット、プリンタ用紙カセット保管用ユニットなどに利用できる。
【００４７】
大容量メモリユニット５１は、大容量のハードディスクやストレージなどが搭載されており、通信機器提供ボックス１が提供するさまざまなサービスをサポートする大容量の情報を格納することができる。
【００４８】
高機能コンピュータユニット５２は、高機能のスーパーコンピュータである。なお、高機能コンピュータユニット５２は、本実施形態ではパソコンユニット１３に別途設けられているが、これに制限されず、パソコンユニット１３が高機能コンピュータ機能を有しても良い。
【００４９】
図６は、本発明の第５の実施の形態に係る電話ボックス用薄型プリンタユニットの構成を示す図である。本実施形態の通信機器提供ボックス１は、パソコンユニット１３、液晶ディスプレイ１７、プリンタ排紙部１８および用紙投入部６０などから構成されている。なお、他の実施形態と重複する部分については、説明を省略する。
【００５０】
そして、電話ボックスの省スペース化のために、本実施の形態の電話ボックス用薄型プリンタユニットは、パソコンユニット１３、液晶ディスプレイ１７と一体に形成されており、電話ボックスのコーナー部に三角形状に設けられている。
【００５１】
さらに、本実施の形態の電話ボックス用薄型プリンタユニットは、用紙投入部６０にロール状のプリンタ用紙を投入することによって、プリンタ用紙の補給を行える仕組みとなっている。すなわち、利用者はロール状のプリンタ用紙が切れた場合は、ロール紙を用紙投入部６０に投入してプリンタ用紙の補給を行える。これにより、プリンタ用紙の給紙が簡単になり、ユーザフレンドリな薄型プリンタユニットを実現することができる。
【００５２】
図７は、本発明の第６の実施の形態に係る電話ボックス用薄型プリンタユニットの構成を示す図である。本実施形態の通信機器提供ボックス１は、パソコンユニット１３、液晶ディスプレイ１７、プリンタ排紙部１８、プリンタ用紙カセット２０、プリンタ本体２１から構成されている。なお、他の実施形態と重複する部分については、説明を省略する。
【００５３】
本実施形態では、電話ボックスの省スペース化のために、パソコンユニット１３、液晶ディスプレイ１７、プリンタ排紙部１８、プリンタ用紙カセット２０、プリンタ本体２１は、分割されたユニットが横並びに平面的に形成されている。さらに、本実施の形態の電話ボックス用薄型プリンタユニットは、プリンタ用紙カセット２０が天井部に搭載されており、プリンタ用紙の補給時には取手を手前に引くと、プリンタ用紙カセット２０が取り出せるようにされている。
【００５４】
オプションユニット７０は、通信機器提供ボックス１の提供者が選んださまざまな機能ユニットを配置できる。たとえば、サーバユニット、個人暗証用ユニット、音楽配信ユニット、飲料水販売ユニット、プリペイドカード販売ユニット、プリンタ用紙カセット保管用ユニットなどに利用できる。
【００５５】
図８は、本発明の第７の実施の形態に係る電話ボックス用薄型プリンタユニットの構成を示す図である。本実施形態の通信機器提供ボックス１は、パソコンユニット１３、液晶ディスプレイ１７、プリンタ排紙部１８、プリンタ用紙カセット２０、プリンタ本体２１から構成されている。なお、他の実施形態と重複する部分については、説明を省略する。
【００５６】
本実施形態では、電話ボックスの省スペース化のために、パソコンユニット１３、液晶ディスプレイ１７、プリンタ排紙部１８、プリンタ用紙カセット２０、プリンタ本体２１は、天井から吊り下げて使用するように形成されている。これにより、利用者の身長や姿勢に合わせてユニットを上下することができるとともに、足元のスペースを確保することができる。また、パソコンユニット１３は、キーボードの角度を調節できるように、ディスプレイ１７とパソコンユニット１３は、フレキシブルな調節部を有している。
【００５７】
図９は、本発明の第８の実施の形態に係る電話ボックス用薄型プリンタユニットの内部構成を示す図である。なお、以下に説明するそれぞれの電話ボックス用薄型プリンタユニットに関する実施形態は、プリンタユニットの奥行きを小さくして、プリンタユニットの大きさや厚さの減少を図る工夫がなされている。
【００５８】
図９の左図は、電話ボックス用薄型プリンタユニットの正面図で、図９の右図は側面図である。本実施形態の電話ボックス用薄型プリンタユニットは、ロール紙９０、ローラ９１、ロール紙９４、ローラ９５、ローラ９８、トナーカートリッジ１００、電動自動カッタ１０１、作像部１０２、定着部１０３、ローラ１０４、プリンタ排紙部１０５から構成されている。
【００５９】
本実施形態の電話ボックス用薄型プリンタユニットは、プリンタ用紙としてロール紙を用いており、ロール紙９０、ロール紙９４およびロール紙９７の三本のロール紙が縦方向に平行に配置されている。そして、このロール紙のそれぞれは、ローラ９１、ローラ９５およびローラ９８にてガイドされて、作像部１０２にて作像される。このように配置することによって、プリンタ給紙部の薄型化を実現することと共に、プリンタ枚数の増強などの給紙能力を向上することができる。
【００６０】
作像部１０２は、トナーカートリッジ１００を図示しないプリンタヘッダを介してロール紙にプリントしていく。トナーカートリッジ１００には、特に制限されないが、赤インク、緑インク、青インクの他に、通常多く使用される黒インクが配置されている。そして、電動自動カッタ１０１は、ロール紙を所定の大きさにカットして、印刷した紙を定着部１０３へと送る。定着部１０３では、印刷された用紙をローラ１０４にてプリンタ排紙部１０５へ送り、プリンタ排紙部１０５から利用者へ印刷された用紙が排出される。
【００６１】
図１０は、本発明の第９の実施の形態に係る電話ボックス用薄型プリンタユニットの内部構成を示す図である。図１０の左図は、電話ボックス用薄型プリンタユニットの正面図で、図９の中央図は側面図であり、図９の右図は側面図で、中央図のロール紙のプリンタ用紙の減少に伴う動作を示している。
【００６２】
本実施形態の電話ボックス用薄型プリンタユニットは、ロール紙９０は、ロール紙９７が使用されて無くなると、それぞれ一段ずつ降下していく。具体的には、先ずロール紙９７が印刷によって無くなると、ロール紙９７の芯は芯格納部１１０へ格納される。そして、ローラ９１およびローラ９５は左右方向に大きくスライドして、ロール紙９０とロール紙９４をそれぞれ一段ずつ降下させる。そして、印刷用紙として、ロール紙９４を用いて、作像部１０２にて印刷され、定着部１０３を介してプリンタ排紙部１０５へと送られる。
【００６３】
図１１は、本発明の電話ボックス用薄型プリンタユニットのプリンタ用紙の給紙方法の一例を示す図である。ロール紙９０、ロール紙９４およびロール紙９７は、それぞれ作像物質ボトル９２、作像物質ボトル９６および作像物質ボトル９９に挿入される。ここで、作像物質ボトル９２、作像物質ボトル９６および作像物質ボトル９９は、作像物質が充填されたボトルである。作像物質としては、例えば印刷用のトナーやインクジェット用のインクがある。
【００６４】
そして、それぞれの作像物質ボトル９２、作像物質ボトル９６および作像物質ボトル９９は、ボトル支持部９３にて支持されている。このボトル支持部９３は、プリンタユニット本体に設置されている支持用の構造体である一方で、作像物質ボトルに充填されたトナーやインクをプリンタヘッドへ送る役割も有する。
【００６５】
図１２は、本発明の電話ボックス用薄型プリンタユニットのプリンタ用紙の給紙方法の他の例を示す図である。用紙投入部１２０は、プリンタユニットの上部に形成されており、この用紙投入部１２０にロール紙９０、ロール紙９４およびロール紙９７を投入していくことによって、プリンタ用紙の補給を行う。
【００６６】
図１３は、本発明の第１０の実施の形態に係る電話ボックス用薄型プリンタユニットの内部構成を示す図である。図１３の左図は、電話ボックス用薄型プリンタユニットの正面図で、図１３の中央図は側面図であり、図１３の右図は側面図の中央図のプリンタ用紙の減少に伴う動作を示している。本実施形態の電話ボックス用薄型プリンタユニットは、プリンタ用紙としてシート状の紙を用いる。
【００６７】
プリンタ用紙１３１は、用紙押さえ部１３０にて支持されて、作像部１０２へ送られて印刷され、定着部１０３を介してプリンタ排紙部１０５へと送られる。そして、プリンタ用紙１３１が減少してくると、用紙押さえ部１３２は、プリンタ用紙１３１を所定の方向にスライドさせて、プリンタ用紙１３１をガイドしていく。
【００６８】
図１４は、本発明の第１１の実施の形態に係る電話ボックス用薄型プリンタユニットの内部構成を示す図である。図１４の左図は、電話ボックス用薄型プリンタユニットの正面図で、図１４の中央図は側面図であり、図１４の右図は側面図で、中央図のプリンタ用紙の減少に伴う動作を示している。
【００６９】
本実施形態の電話ボックス用薄型プリンタユニットは、用紙押さえ部１４０がローラ状に形成されている。そして、プリンタ用紙１４１は用紙押さえ部１４０にて支持されて、作像部１０２にて送られて印刷され、定着部１０３を介してプリンタ排紙部１０５へと送られる。
【００７０】
そして、プリンタ用紙１４１が減少してくると、用紙ピックアップ部１４２は、プリンタ用紙１４１を所定の方向にスライドさせて、プリンタ用紙１３１をガイドしていく。このように構成することによって、プリンタ用紙の給紙詰まりを防止することができる。
【００７１】
図１５は、本発明の電話ボックス用薄型プリンタユニットのプリンタ用紙の給紙方法の他の例を示す図である。本実施形態では、プリンタ用紙１５０をプリンタ用紙カセット１５１にセットし、複数のプリンタ用紙カセット１５１をプリンタ本体１５２に搭載することによって、プリンタ用紙の補給を行う。複数のプリンタ用紙カセット１５１を縦方向に直列に配列することによって、プリンタユニット本体の省スペースを図ることができる。
【００７２】
このカセットの交換は、メンテナンスを請け負った会社が定期的に通信機器提供ボックス１を見回っており、プリンタ用紙が少なくなってきた場合に、カセットごと交換するようにされている。そして、本実施形態のようにプリンタ用紙カセット１５１を構成することによって、カセットの交換や補充の際の労力の低減に役立つ。
【００７３】
図１６は、本発明の電話ボックス用薄型プリンタユニットのプリンタ用紙の給紙方法の他の例を示す図である。本実施形態では、プリンタ用紙１６０をプリンタ用紙カセット１６１にセットし、複数のプリンタ用紙カセット１６１をプリンタ本体１６３に搭載することによって、プリンタ用紙の補給を行う。本実施形態では、プリンタ用紙カセット１６１をプリンタ本体１６３に斜めにセットすることによってプリンタユニットの構造の薄型化を図っている。なお、スライドカバー１６２は、プリンタ用紙１６０の残量を目視するために設けられている。
【００７４】
このカセットの交換は、メンテナンスを請け負った会社が定期的に通信機器提供ボックス１を見回っており、プリンタ用紙が少なくなってきた場合に、カセットごと交換するようにされている。そして、本実施形態のようにプリンタ用紙カセット１６１およびスライドカバー１６２を構成することによって、カセットの交換や補充の際の労力の低減に役立つ。
【００７５】
図１７は、本発明の第１２の実施の形態に係る電話ボックス用薄型プリンタユニットの内部構成を示す図である。図１７の左図は、電話ボックス用薄型プリンタユニットの正面図で、図１７の右図は側面図である。本実施形態の電話ボックス用薄型プリンタユニットは、液状あるいはジェル状のプリンタ用紙材料が充填されている。
【００７６】
用紙タンク１７０には、上述のような液状あるいはジェル状のプリンタ用紙材料が充填されており、用紙変換部１７１にて、そのプリンタ用紙材料がプリンタ用紙に変換されていく。液状あるいはジェル状のプリンタ用紙材料を用いることによって、プリンタユニットの形状の自由度が増し、本体の厚さも薄くすることができる。トナーカートリッジ１７２には、特に制限されないが、赤インク、緑インク、青インクの他に、通常多く使用される黒インクが配置されている。
【００７７】
なお、本発明は上記実施の形態に限定されず、種々の変形及び応用が可能である。例えば、システム構成や画面構成は適宜変更可能である。また、実質的に同一の機能が実現できるならば、処理手順なども適宜変更可能である。
【００７８】
【発明の効果】
以上説明したように、本発明の電話ボックス用薄型プリンタユニットによれば、利用者の利便性を向上することができる。すなわち、利用者の利便性の向上や幅広いユーザへの対応が可能なプリンタユニットの設置が実現できる。
【図面の簡単な説明】
【図１】本発明の実施の形態に係る電話ボックスの外観構成を示す図である。
【図２】本発明の第１の実施の形態に係る電話ボックス用薄型プリンタユニットの構成を示す図である。
【図３】本発明の第２の実施の形態に係る電話ボックス用薄型プリンタユニットの構成を示す図である。
【図４】本発明の第３の実施の形態に係る電話ボックス用薄型プリンタユニットの構成を示す図である。
【図５】本発明の第４の実施の形態に係る電話ボックス用薄型プリンタユニットの構成を示す図である。
【図６】本発明の第５の実施の形態に係る電話ボックス用薄型プリンタユニットの構成を示す図である。
【図７】本発明の第６の実施の形態に係る電話ボックス用薄型プリンタユニットの構成を示す図である。
【図８】本発明の第７の実施の形態に係る電話ボックス用薄型プリンタユニットの構成を示す図である。
【図９】本発明の第８の実施の形態に係る電話ボックス用薄型プリンタユニットの内部構成を示す図である。
【図１０】本発明の第９の実施の形態に係る電話ボックス用薄型プリンタユニットの内部構成を示す図である。
【図１１】本発明の電話ボックス用薄型プリンタユニットのプリンタ用紙の給紙方法の一例を示す図である。
【図１２】本発明の電話ボックス用薄型プリンタユニットのプリンタ用紙の給紙方法の他の例を示す図である。
【図１３】本発明の第１０の実施の形態に係る電話ボックス用薄型プリンタユニットの内部構成を示す図である。
【図１４】本発明の第１１の実施の形態に係る電話ボックス用薄型プリンタユニットの内部構成を示す図である。
【図１５】本発明の電話ボックス用薄型プリンタユニットのプリンタ用紙の給紙方法の他の例を示す図である。
【図１６】本発明の電話ボックス用薄型プリンタユニットのプリンタ用紙の給紙方法の他の例を示す図である。
【図１７】本発明の第１２の実施の形態に係る電話ボックス用薄型プリンタユニットの内部構成を示す図である。
【符号の説明】
１　　通信機器提供ボックス
１０　　ソーラパネル
１１　　通信機器提供ボックス燃料格納部
１２　　電話機ユニット
１３　　パソコンユニット
１４　　プリンタユニット
１５　　スキャナユニット
１６　　ユニットフレーム
１７　　液晶ディスプレイ
１８　　プリンタ排紙部
１９　　カード挿入部
２０　　プリンタ用紙カセット
２１　　プリンタ本体
３０　　のぞき見防止ユニット
３１　　支柱
４０　　支柱
４１　　支柱
５０　　オプションユニット
５１　　大容量メモリユニット
５２　　高機能コンピュータユニット
６０　　用紙投入部
７０　　オプションユニット
９０　　ロール紙
９１　　ローラ
９２　　作像物質ボトル
９３　　ボトル支持部
９４　　ロール紙
９５　　ローラ
９６　　作像物質ボトル
９７　　ロール紙
９８　　ローラ
９９　　作像物質ボトル
１００　トナーカートリッジ
１０１　電動自動カッタ
１０２　作像部
１０３　定着部
１０４　ローラ
１０５　プリンタ排紙部
１１０　芯格納部
１２０　用紙投入部
１３０　用紙押さえ部
１３１　プリンタ用紙
１３２　用紙押さえ部
１４０　用紙押さえ部
１４１　プリンタ用紙
１４２　用紙ピックアップ部
１５０　プリンタ用紙
１５１　プリンタ用紙カセット
１５２　プリンタ本体
１６０　プリンタ用紙
１６１　プリンタ用紙カセット
１６２　スライドカバー
１６３　プリンタ本体
１７０　用紙タンク
１７１　用紙変換部
１７２　トナーカートリッジ
【図１】
2004090288.tif 000003
【図２】
2004090288.tif 000004
【図３】
2004090288.tif 000005
【図４】
2004090288.tif 000006
【図５】
2004090288.tif 000007
【図６】
2004090288.tif 000008
【図７】
2004090288.tif 000009
【図８】
2004090288.tif 000010
【図９】
2004090288.tif 000011
【図１０】
2004090288.tif 000012
【図１１】
2004090288.tif 000013
【図１２】
2004090288.tif 000014
【図１３】
2004090288.tif 000015
【図１４】
2004090288.tif 000016
【図１５】
2004090288.tif 000017
【図１６】
2004090288.tif 000018
【図１７】
2004090288.tif 000019